(57)【要約】【課題】検査効率を向上させること。【解決手段】実施形態の医用画像診断装置は、記憶部と、入力部と、取得部と、決定部とを備える。記憶部は、医用画像に対する後処理の種類ごとに、当該後処理を実行可能な機能を有する装置を対応付けた対応情報を記憶する。入力部は、複数の検査項目を含む検査の開始前に、操作者から撮像計画の登録を受け付ける。取得部は、記撮像計画を参照して、医用画像に対する後処理が必要となる検査項目と、当該後処理の種類とを対応付けた後処理情報を取得する。決定部は、前記対応情報を参照して、前記後処理情報に含まれる検査項目で撮像された医用画像の後処理を依頼する装置を決定する。【選択図】図３
2014076137.tif 000002
【特許請求の範囲】
【請求項１】
医用画像に対する後処理の種類ごとに、当該後処理を実行可能な機能を有する装置を対応付けた対応情報を記憶する記憶部と、
複数の検査項目を含む検査の開始前に、操作者から撮像計画の登録を受け付ける入力部と、
前記撮像計画を参照して、医用画像に対する後処理が必要となる検査項目と、当該後処理の種類とを対応付けた後処理情報を取得する取得部と、
前記対応情報を参照して、前記後処理情報に含まれる検査項目で撮像された医用画像の後処理を依頼する装置を決定する決定部と、
を備えたことを特徴とする医用画像診断装置。
【請求項２】
前記決定部により後処理が依頼された装置から、後処理の完了通知を受信した場合、当該装置が実行した後処理に対応する検査項目が完了した旨を表示部に表示させる表示制御部、
を更に備えたことを特徴とする請求項１に記載の医用画像診断装置。
【請求項３】
前記対応情報に含まれる装置の処理負荷を収集する収集部、
を更に備え、
前記決定部は、前記収集部が収集した処理負荷に応じて、後処理を依頼する装置を変更することを特徴とする請求項１又は２に記載の医用画像診断装置。
【請求項４】
医用画像に対する後処理の種類ごとに、当該後処理を実行可能な機能を有する装置を対応付けた対応情報を記憶する記憶部と、
複数の検査項目を含む検査の開始前に操作者が登録した撮像計画を取得し、当該撮像計画を参照して、医用画像に対する後処理が必要となる検査項目と、当該後処理の種類とを対応付けた後処理情報を取得する取得部と、
前記対応情報を参照して、前記後処理情報に含まれる検査項目で撮像された医用画像の後処理を依頼する装置を決定する決定部と、
を備えたことを特徴とする画像処理管理装置。
【発明の詳細な説明】
【技術分野】
【０００１】
本発明の実施形態は、医用画像診断装置及び画像処理管理装置に関する。
【背景技術】
【０００２】
磁気共鳴イメージング（ＭＲＩ：Magnetic  Resonance  Imaging）装置やＸ線ＣＴ（Computed  Tomography）装置等の医用画像診断装置による撮像は、予め設定された撮像条件に従って行われる。例えば、撮像計画時、医用画像診断装置の操作者は、医用画像診断装置の表示部に表示された撮像条件を編集するための画面を見ながら撮像条件を編集する。編集後の撮像条件は、撮像計画として医用画像診断装置に設定され、医用画像診断装置は、設定された撮像計画に従って撮像を実行する。
【０００３】
また、医用画像診断装置では、１回の検査オーダで複数の検査項目が行なわれ、各検査項目で撮像条件の異なる医用画像の撮像が行なわれる。ここで、検査オーダには、撮像後の医用画像に対する後処理が必要となる検査項目がある。上記の撮像計画では、かかる検査項目の情報として、撮像条件とともに後処理の情報についても設定される。
【０００４】
ここで、従来、検査効率を向上させるために、医用画像診断装置は、後処理が必要となる検査項目で撮像が完了すると、撮像した医用画像をサーバやワークステーション等へ送信して後処理を依頼している。ただし、従来では、後処理を特定の装置に一括して依頼しているため、検査効率が低下する場合があった。
【先行技術文献】
【特許文献】
【０００５】
【特許文献１】特開２００６−２５５１８９号公報
【発明の概要】
【発明が解決しようとする課題】
【０００６】
本発明が解決しようとする課題は、検査効率を向上させることができる医用画像診断装置及び画像処理管理装置を提供することである。
【課題を解決するための手段】
【０００７】
実施形態の医用画像診断装置は、記憶部と、入力部と、取得部と、決定部とを備える。記憶部は、医用画像に対する後処理の種類ごとに、当該後処理を実行可能な機能を有する装置を対応付けた対応情報を記憶する。入力部は、複数の検査項目を含む検査の開始前に、操作者から撮像計画の登録を受け付ける。取得部は、記撮像計画を参照して、医用画像に対する後処理が必要となる検査項目と、当該後処理の種類とを対応付けた後処理情報を取得する。決定部は、前記対応情報を参照して、前記後処理情報に含まれる検査項目で撮像された医用画像の後処理を依頼する装置を決定する。
【図面の簡単な説明】
【０００８】
【図１】図１は、第１の実施形態に係るＭＲＩ装置が設置される医用画像診断システムの構成例を示す図である。
【図２】図２は、第１の実施形態に係るＭＲＩ装置の全体構成例を示す図である。
【図３】図３は、第１の実施形態に係る制御部の構成例を示す図である。
【図４Ａ】図４Ａは、撮像計画の一例を示す図（１）である。
【図４Ｂ】図４Ｂは、撮像計画の一例を示す図（２）である。
【図４Ｃ】図４Ｃは、撮像計画の一例を示す図（３）である。
【図４Ｄ】図４Ｄは、撮像計画の一例を示す図（４）である。
【図４Ｅ】図４Ｅは、撮像計画の一例を示す図（５）である。
【図４Ｆ】図４Ｆは、撮像計画の一例を示す図（６）である。
【図４Ｇ】図４Ｇは、撮像計画の一例を示す図（７）である。
【図５】図５は、第１の実施形態に係る取得部を説明するための図である。
【図６】図６は、第１の実施形態に係る対応情報の一例を示す図である。
【図７】図７は、第１の実施形態に係る決定部を説明するための図である。
【図８】図８は、後処理により生成される画像データの一例を示す図である。
【図９】図９は、第１の実施形態に係る表示制御部により表示される画面の一例を示す図である。
【図１０】図１０は、第１の実施形態に係るＭＲＩ装置が実行する後処理依頼処理の一例を説明するためのフローチャートである。
【図１１】図１１は、第１の実施形態に係るＭＲＩ装置が実行する表示制御処理の一例を説明するためのフローチャートである。
【図１２】図１２は、第２の実施形態に係る制御部の構成例を示す図である。
【図１３】図１３は、第２の実施形態に係る対応情報の一例を示す図である。
【図１４】図１４は、第２の実施形態に係る決定部を説明するための図である。
【図１５】図１５は、第２の実施形態に係るＭＲＩ装置が実行する後処理依頼先の変更処理の一例を説明するためのフローチャートである。
【図１６】図１６は、第１の実施形態及び第２の実施形態の変形例を説明するための図である。
【発明を実施するための形態】
【０００９】
以下、添付図面を参照して、医用画像診断装置の実施形態を詳細に説明する。なお、以下では、医用画像診断装置として磁気共鳴イメージング（ＭＲＩ：Magnetic  Resonance  Imaging）装置を一例に挙げて説明する。また、以下では、磁気共鳴イメージング装置を「ＭＲＩ装置」と記載する。
【００１０】
（第１の実施形態）
まず、第１の実施形態に係るＭＲＩ装置が設置される医用画像診断システムの構成例について説明する。図１は、第１の実施形態に係るＭＲＩ装置が設置される医用画像診断システムの構成例を示す図である。
【００１１】
図１に示す医用画像診断システムは、ＭＲＩ装置１００と、画像保管装置２００と、複数のワークステーションとを有する。図１に示す医用画像診断システムでは、一例として、３台のワークステーション（第１ワークステーション３０１、第２ワークステーション３０２及び第３ワークステーション３０３）が設置される。図１に例示する各装置は、例えば、病院内に設置された院内ＬＡＮ（Local  Area  Network）４００により、直接的、又は間接的に相互に通信可能な状態となっている。例えば、医用画像診断システムにＰＡＣＳ（Picture  Archiving  and  Communication  System）が導入されている場合、各装置は、ＤＩＣＯＭ（Digital  Imaging  and  Communications  in  Medicine）規格に則って、医用画像等を相互に送受信する。
【００１２】
ＭＲＩ装置１００は、位相エンコード用傾斜磁場、スライス選択用傾斜磁場及び周波数エンコード用傾斜磁場を変化させることで収集したＭＲ信号から、任意の１断面のＭＲＩ画像データや、任意の複数断面のＭＲＩ画像データ（ボリュームデータ）を再構成する。なお、第１の実施形態に係るＭＲＩ装置１００については、後に詳述する。
【００１３】
画像保管装置２００は、医用画像を保管するデータベースである。具体的には、画像保管装置２００は、ＭＲＩ装置１００等の医用画像診断装置から送信された医用画像を自装置の記憶部に格納し、保管する。画像保管装置２００に保管された医用画像は、例えば、装置ＩＤ、患者ＩＤ、検査ＩＤ、シリーズＩＤ等の付帯情報と対応付けて保管される。
【００１４】
第１ワークステーション３０１、第２ワークステーション３０２及び第３ワークステーション３０３は、例えば、病院内に勤務する医師や検査技師が医用画像の読影に用いるワークステーションである。第１ワークステーション３０１、第２ワークステーション３０２及び第３ワークステーション３０３は、医用画像を読影用に表示する他に、医用画像に対して各種画像処理を行う機能を有する高性能なＰＣ（Personal  Computer）等である。
【００１５】
なお、上述した医用画像診断システムは、ＰＡＣＳが導入されている場合にその適用が限られるものではない。例えば、医用画像診断システムは、医用画像が添付された電子カルテを管理する電子カルテシステムが導入されている場合にも、同様に適用される。この場合、画像保管装置２００は、電子カルテを保管するデータベースである。また、例えば、医用画像診断システムは、ＨＩＳ（Hospital  Information  System）、ＲＩＳ（Radiology  Information  System）が導入されている場合にも、同様に適用される。
【００１６】
また、医用画像診断システムは、上述した構成例に限られるものではない。例えば、図１に示す医用画像診断システムでは、医用画像診断装置として、１台のＭＲＩ装置が設置されているが、本実施形態は、複数台のＭＲＩ装置が設置される場合であっても適用可能である。また、本実施形態は、Ｘ線ＣＴ（Computed  Tomography）装置やＸ線診断装置、超音波診断装置等の医用画像診断装置が１台、又は、複数台設置される場合であっても適用可能である。また、本実施形態は、ワークステーションが設置される台数は、任意の台数であっても良い。
【００１７】
次に、図１に示すＭＲＩ装置１００について、図２等を用いて説明する。図２は、第１の実施形態に係るＭＲＩ装置の全体構成例を示す図である。図２に例示するように、ＭＲＩ装置１００は、静磁場磁石１と、傾斜磁場コイル２と、傾斜磁場電源３と、寝台４と、寝台制御部５と、送信コイル６と、送信部７と、受信コイル８と、受信部９と、シーケンス制御部１０と、コンソール２０とを有する。
【００１８】
静磁場磁石１は、中空の円筒形状に形成され、内部の空間に一様な静磁場を発生する。静磁場磁石１は、例えば、永久磁石、超伝導磁石等である。傾斜磁場コイル２は、中空の円筒形状に形成され、内部の空間に傾斜磁場を発生する。具体的には、傾斜磁場コイル２は、静磁場磁石１の内側に配置され、傾斜磁場電源３から電流の供給を受けて傾斜磁場を発生する。傾斜磁場電源３は、シーケンス制御部１０から送られるパルスシーケンス実行データに従って、傾斜磁場コイル２に電流を供給する。
【００１９】
寝台４は、被検体Ｐが載置される天板４ａを備え、天板４ａを、被検体Ｐが載置された状態で傾斜磁場コイル２の空洞（撮像口）内へ挿入する。通常、寝台４は、長手方向が静磁場磁石１の中心軸と平行になるように設置される。寝台制御部５は、寝台４を駆動して、天板４ａを長手方向及び上下方向へ移動する。
【００２０】
送信コイル６は、ＲＦ磁場を発生する。具体的には、送信コイル６は、傾斜磁場コイル２の内側に配置され、送信部７からＲＦパルスの供給を受けて、ＲＦ磁場を発生する。送信部７は、シーケンス制御部１０から送られるパルスシーケンス実行データに従って、共振周波数（ラーモア周波数）に対応するＲＦパルスを送信コイル６に印加する。
【００２１】
受信コイル８は、ＭＲ信号を受信する。具体的には、受信コイル８は、傾斜磁場コイル２の内側に配置され、高周波磁場の影響によって被検体Ｐから放射されるＭＲ信号を受信する。また、受信コイル８は、受信したＭＲ信号を受信部９に出力する。例えば、受信コイル８は、頭部用の受信コイル、脊椎用の受信コイル、腹部用の受信コイル等である。
【００２２】
受信部９は、シーケンス制御部１０から送られるパルスシーケンス実行データに従って、受信コイル８から出力されたＭＲ信号に基づきＭＲ信号データを生成する。具体的には、受信部９は、受信コイル８から出力されたＭＲ信号をデジタル変換することによってＭＲ信号データを生成する。そして、受信部９は、生成したＭＲ信号データを、シーケンス制御部１０を介して、コンソール２０に送信する。
【００２３】
シーケンス制御部１０は、傾斜磁場電源３、送信部７及び受信部９を制御する。具体的には、シーケンス制御部１０は、コンソール２０から送信されたパルスシーケンス実行データを、傾斜磁場電源３、送信部７及び受信部９に送信する。
【００２４】
なお、ここでいうパルスシーケンス実行データとは、シーケンス制御部１０が傾斜磁場コイル２に供給する電源の強さや電源を供給するタイミング、送信部７が送信コイル６に送信するＲＦ信号の強さやＲＦ信号を送信するタイミング、受信部９がＭＲ信号を検出するタイミング等、スキャンを行うための手順を定義した情報である。
【００２５】
コンソール２０は、図２に例示するように、インタフェース部２１と、入力部２２と、表示部２３と、画像再構成部２４と、画像処理部２５と、記憶部２６と、制御部２７と、通信部２８とを有する。
【００２６】
インタフェース部２１は、シーケンス制御部１０に接続され、シーケンス制御部１０とコンソール２０との間で送受信されるデータの入出力を制御する。例えば、インタフェース部２１は、シーケンス制御部１０に対してパルスシーケンス実行データを送信したり、シーケンス制御部１０からＭＲ信号データを受信したりする。ここで、インタフェース部２１によって受信されたＭＲ信号データは、傾斜磁場コイル２により発生したスライス選択用傾斜磁場Ｇｓ、位相エンコード用傾斜磁場Ｇｅ及びリードアウト用傾斜磁場ＧｒによってＳＥ（Slice  Encode）方向、ＰＥ（Phase  Encode）方向及びＲＯ（Read  Out）方向における空間周波数の情報が対応付けられたｋ空間データとして、後述する記憶部２６に格納される。
【００２７】
入力部２２は、操作者からの各種指示や情報入力を受け付ける。この入力部２２としては、例えば、マウスやトラックボール等のポインティングデバイス、モード切替スイッチ等の選択デバイス、あるいはキーボード等の入力デバイスが用いられる。
【００２８】
表示部２３は、操作者により参照される各種画像や、操作者から各種操作を受け付けるためのＧＵＩ（Graphical  User  Interface）を表示する。この表示部２３としては、例えば、液晶モニタやＣＲＴモニタ等の表示デバイスが用いられる。
【００２９】
例えば、ＭＲＩ装置１００の操作者は、表示部２３に表示された編集画面を見ながら、入力部２２を用いて撮像条件を編集する。編集後の撮像条件は、撮像計画として設定される。ＭＲＩ装置１００は、設定された撮像計画に従ってＭＲＩ画像の撮像を実行する。
【００３０】
画像再構成部２４は、後述する記憶部２６が記憶するｋ空間データに対してフーリエ変換等の再構成処理を施すことによって、ＭＲＩ画像データを生成する。
【００３１】
画像処理部２５は、画像再構成部２４が生成したＭＲＩ画像データに対して各種画像処理部を行なう。例えば、画像処理部２５は、ボリュームデータに対して各種レンダリング処理を行なう機能を有する。画像処理部２５が行なうレンダリング処理としては、断面再構成法（ＭＰＲ：Multi  Planer  Reconstruction）を行なってボリュームデータからＭＰＲ画像を生成する処理がある。また、画像処理部２５が行なうレンダリング処理としては、ボリュームデータの直交座標系に対して湾曲した面を指定し、この湾曲した面上の断面を再構成する「Curved  MPR（ＣＰＲ）」を行なう処理がある。また、画像処理部２５が行なうレンダリング処理としては、３次元の情報を反映した２次元画像（ボリュームレンダリング画像）を生成するボリュームレンダリング（ＶＲ：Volume  Rendering）処理がある。
【００３２】
記憶部２６は、インタフェース部２１によって受信されたｋ空間データや、画像再構成部２４や画像処理部２５によって生成された画像データ等を記憶する。また、記憶部２６は、操作者が登録した撮像計画を記憶する。例えば、記憶部２６は、ＲＡＭ（Random  Access  Memory）、フラッシュメモリ（flash  memory）等の半導体メモリ素子、又は、ハードディスク、光ディスク等である。
【００３３】
通信部２８は、ＮＩＣ（Network  Interface  Card）等であり、他の装置との間で通信を行う。例えば、通信部２８は、後述する制御部２７の制御により、記憶部２６が記憶するＭＲＩ画像データを、院内ＬＡＮ４００を介して、医用画像診断システム内の他の装置（例えば、第１ワークステーション３０１等）に送信する。
【００３４】
制御部２７は、上記各部を制御することによってＭＲＩ装置１００を総括的に制御する。例えば、制御部２７は、ＡＳＩＣ（Application  Specific  Integrated  Circuit）やＦＰＧＡ（Field  Programmable  Gate  Array）等の集積回路、又は、ＣＰＵ（Central  Processing  Unit）やＭＰＵ（Micro  Processing  Unit）等の電子回路である。
【００３５】
例えば、制御部２７は、入力部２２を介して操作者が登録した撮像計画に基づいてパルスシーケンス実行データを生成し、生成したパルスシーケンス実行データをシーケンス制御部１０に送信することによって被検体Ｐの撮像（スキャン）を実行させる。また、制御部２７は、画像再構成部２４によって行われる再構成処理や、画像処理部２５によって行なわれる画像処理を制御する。また、例えば、制御部２７は、入力部２２を介して操作者から入力される指示に応じて、インタフェース部２１を介して寝台制御部５を制御する。また、例えば、制御部２７は、記憶部２６が記憶する各種画像データを表示部２３に表示させる。また、例えば、制御部２７は、操作者の要求に応じて、撮像計画を編集するための画面を表示部２３に表示させる。
【００３６】
以上、第１の実施形態に係るＭＲＩ装置１００の全体構成について説明した。このような構成のもと、第１の実施形態に係るＭＲＩ装置１００は、検査オーダに基づいて操作者が登録した撮像計画に従って、被検体Ｐの撮像を実行する。
【００３７】
通常、１回の検査オーダでは、複数の検査項目（検査シリーズ）が行なわれ、各検査項目で撮像条件の異なるＭＲＩ画像の撮像が行なわれる。また、検査オーダには、撮像後のＭＲＩ画像に対する後処理が必要となる検査項目がある。上記の撮像計画では、かかる検査項目の情報として、撮像条件とともに後処理に関する情報についても設定される。
【００３８】
ここで、例えば、撮像計画で設定された後処理全てをコンソール２０の画像処理部２５で実行させると、画像処理部２５の処理が完了するまで、検査を終了することができない。そこで、検査効率を向上させるために、後処理が必要となる検査項目で撮像が完了すると、後処理を特定の装置に一括して依頼する方法が知られている。かかる従来方法では、ＭＲＩ装置１００は、後処理が必要なＭＲＩ画像を、例えば、画像保管装置２００や第１ワークステーション３０１等へ送信して後処理を依頼する。しかし、かかる従来方法では、ＭＲＩ装置１００の操作者は、後処理の進捗状況を把握できず、検査完了を確実に把握できない場合があった。このため、従来では、後処理が完了したかを確認することなく、特定の装置に画像を送付した時点で、検査完了と判断している場合が多かった。このため、例えば、後処理の結果に不備があると、従来方法では、再検査が必要となり、検査効率が悪くなる場合があった。
【００３９】
そこで、第１の実施形態に係る制御部２７は、検査効率を向上させるために、入力部２２が受け付けた撮像計画に連動して、以下の処理を行なう。図３は、第１の実施形態に係る制御部の構成例を示す図である。
【００４０】
図３に例示するように、第１の実施形態に係る制御部２７は、取得部２７ａと、決定部２７ｂと、表示制御部２７ｃとを有する。
【００４１】
まず、入力部２２は、複数の検査項目を含む検査の開始前に、操作者から撮像計画の登録を受け付ける。そして、取得部２７ａは、入力部２２が受け付けた撮像計画を記憶部２６から取得する。
【００４２】
図４Ａ〜図４Ｇは、撮像計画の一例を示す図である。例えば、操作者は、図４Ａに例示するように、「患者ＩＤ：ＰＡＴＩＥＮＴ  １、検査ＩＤ：２」の撮像計画として、６個の検査項目（検査シリーズ）を登録する。図４に示す一例では、「シリーズ番号：１０００、シリーズ名：Ｔ２」、「シリーズ番号：２０００、シリーズ名：ＭＲＳ」、「シリーズ番号：３０００、シリーズ名：ＰＷＩ」、「シリーズ番号：４０００、シリーズ名：ＢＯＬＤ」、「シリーズ番号：５０００、シリーズ名：ＤＴＴ」及び「シリーズ番号：６０００、シリーズ名：Ｃａｒｄｉａｃ」の６個の検査シリーズが登録されていることを示している。ここで、図４Ａに例示する撮像計画の各検査シリーズの詳細な条件は、図４Ｂ〜図４Ｇに例示する階層構造で登録されている。以下、各検査シリーズについて説明する。
【００４３】
図４Ａに例示する「シリーズ番号：１０００、シリーズ名：Ｔ２」は、ＭＲＩ画像としてＴ２強調画像を撮像する検査シリーズである。図４Ｂは、「シリーズ番号：１０００、シリーズ名：Ｔ２」の撮像条件を例示している。図４Ｂでは、「シリーズ番号：１０００、シリーズ名：Ｔ２」の撮像条件として、パルスシーケンスやＴＲ（Repetition  Time：繰り返し時間）、ＴＥ（Echo  Time:エコー時間）等が登録されている。図４Ｂでは、Ｔ２強調画像の撮像を、ＦＳＥ（Fast  Spin  Echo）法に基づくパルスシーケンスで行なうことが登録されている。
【００４４】
図４Ａに例示する「シリーズ番号：２０００、シリーズ名：ＭＲＳ」は、ＭＲＳ（Magnetic  Resonance  Spectroscopy）を行なう検査シリーズである。図４Ｃは、「シリーズ番号：２０００、シリーズ名：ＭＲＳ」の撮像条件と、撮像したＭＲＩ画像に対する後処理及び解析の内容とを例示している。図４Ｃでは、「シリーズ番号：２０００、シリーズ名：ＭＲＳ」のスペクトル解析を行なうためのＭＲＩ画像の撮像を、ＳＥ（Spin  Echo）法に基づくパルスシーケンスで行なうことが、ＴＲやＴＥ等の各種条件とともに登録されている。
【００４５】
また、図４Ｃでは、「シリーズ番号：２０００、シリーズ名：ＭＲＳ」の「後処理／解析」の種類が「ＭＲＳ（スペクトル解析）」であることが登録されている。更に、図４Ｃでは、「シリーズ番号：２０００、シリーズ名：ＭＲＳ」の「後処理／解析」の補助情報として、複数領域からのスペクトルを収集するマルチボクセル法で行なうことや、ＮＡＡ（N-acetylasparatate）、Ｃｒ（Creatine/phosphocreatine）及びＣｈｏ（Choline）等をスペクトルの観察対象とすることが登録されている。
【００４６】
図４Ａに例示する「シリーズ番号：３０００、シリーズ名：ＰＷＩ」は、ＰＷＩ（Perfusion  Weighted  Image:灌流強調画像）の撮像を行なう検査シリーズである。図４Ｄは、「シリーズ番号：３０００、シリーズ名：ＰＷＩ」の撮像条件と、撮像したＭＲＩ画像に対する後処理及び解析の内容とを例示している。図４Ｄでは、「シリーズ番号：３０００、シリーズ名：ＰＷＩ」を行なうために用いるＭＲＩ画像の撮像を、非造影で造影像を撮像するＡＳＬ（Arterial  Spin  Labeling）法に基づくパルスシーケンスで行なうことが、ＴＲやＴＥ等の各種条件とともに登録されている。
【００４７】
また、図４Ｄでは、「シリーズ番号：３０００、シリーズ名：ＰＷＩ」の「後処理／解析」の種類が「ＰＷＩ（脳灌流解析）」であることが登録されている。更に、図４Ｄでは、「シリーズ番号：３０００、シリーズ名：ＰＷＩ」の「後処理／解析」の補助情報として、灌流解析を「Curve  Fit法」で行なうことや、測定項目が「ＣＢＦ、ＣＢＶ、ＭＴＴ」であることが登録されている。
【００４８】
図４Ａに例示する「シリーズ番号：４０００、シリーズ名：ＢＯＬＤ」は、ＢＯＬＤ（Blood  Oxygenation  Level  Dependent）効果を利用して、脳の賦活領域を画像化したｆＭＲＩ（functional  Magnetic  Resonance  Imaging）画像の撮像を行なう検査シリーズである。図４Ｅは、「シリーズ番号：４０００、シリーズ名：ＢＯＬＤ」の撮像条件と、撮像したＭＲＩ画像に対する後処理及び解析の内容とを例示している。図４Ｅでは、ｆＭＲＩ画像の生成に用いるＭＲＩ画像（Ｔ２*強調画像）の撮像を、ＥＰＩ（Echo  Planner  Imaging）法に基づくパルスシーケンスで行なうことが、ＴＲやＴＥ等の各種条件とともに登録されている。
【００４９】
また、図４Ｅでは、「シリーズ番号：４０００、シリーズ名：ＢＯＬＤ」の「後処理／解析」の種類が「ＢＯＬＤ（ｆＭＲＩ）」であることが登録されている。更に、図４Ｅでは、「シリーズ番号：４０００、シリーズ名：ＢＯＬＤ」の「後処理／解析」の補助情報として、ＭＲＩ画像の動き補正を行なった後に、ｔ検定等の統計処理を行なってｆＭＲＩ画像を生成することが登録されている。
【００５０】
図４Ａに例示する「シリーズ番号：５０００、シリーズ名：ＤＴＴ」は、拡散イメージング（Diffusion  Weighted  Imaging）により撮像されたＭＲＩ画像（拡散強調画像）を用いて、拡散テンソルトラクトグラフィ（Diffusion  Tensor  Tractography）を行なう検査シリーズである。具体的には、ＤＴＴでは、拡散強調画像に対してテンソル解析を行なって、水分子の不等方拡散（anisotropy）の方向を表す拡散テンソル画像を生成する。そして、ＤＴＴでは、更に、拡散テンソル画像に含まれる任意のピクセル（ボクセル）での最大拡散方向を追跡し、その軌跡を神経束として描出した拡散テンソルトラクトグラフィ画像を生成する。図４Ｆは、「シリーズ番号：５０００、シリーズ名：ＤＴＴ」の撮像条件と、撮像したＭＲＩ画像に対する後処理及び解析の内容とを例示している。図４Ｆでは、「シリーズ番号：５０００、シリーズ名：ＤＴＴ」を行なうために用いるＭＲＩ画像（拡散強調画像）の撮像を、ＥＰＩ法に基づくパルスシーケンスで行なうことが、ＴＲやＴＥ等の各種条件とともに登録されている。
【００５１】
また、図４Ｆでは、「シリーズ番号：５０００、シリーズ名：ＤＴＴ」の「後処理／解析」の種類が「ＤＴＴ（拡散テンソルトラクトグラフィ）」であることが登録されている。更に、図４Ｆでは、「シリーズ番号：５０００、シリーズ名：ＤＴＴ」の「後処理／解析」の補助情報として、拡散テンソル画像及びＤＴＴ画像を生成することが登録されている。
【００５２】
図４Ａに例示する「シリーズ番号：６０００、シリーズ名：Ｃａｒｄｉａｃ」は、遅延造影により撮像されたＭＲＩ画像を用いて、心機能解析を行なう検査シリーズである。図４Ｇは、「シリーズ番号：６０００、シリーズ名：Ｃａｒｄｉａｃ」の撮像条件と、撮像したＭＲＩ画像に対する後処理及び解析の内容とを例示している。図４Ｇでは、「シリーズ番号：６０００、シリーズ名：Ｃａｒｄｉａｃ」を行なうために用いるＭＲＩ画像の撮像を、ＦＦＥ法に基づくパルスシーケンスで行なうことが、ＴＲやＴＥ等の各種条件とともに登録されている。
【００５３】
また、図４Ｇでは、「シリーズ番号：６０００、シリーズ名：Ｃａｒｄｉａｃ」の「後処理／解析」の種類が「Ｃａｒｄｉａｃ（心機能解析）」であることが登録されている。更に、図４Ｇでは、「シリーズ番号：６０００、シリーズ名：Ｃａｒｄｉａｃ」の「後処理／解析」の補助情報として、Ｓｉｍｐｓｏｎ法により心室容積を計算し、更に、心機能の指標としてＥＦ（Ejection    Fraction）を計算することが登録されている。
【００５４】
なお、図４Ｂ〜図４Ｇに例示する撮像条件は、本撮像用の撮像条件である。図４Ｂ〜図４Ｇに例示する撮像計画には、図示していないが、本撮像の撮像条件を決定するために用いる位置決め画像撮像用の撮像条件（予備撮像用の撮像条件）も登録される。
【００５５】
かかる撮像計画が登録されると、図３に示す取得部２７ａは、撮像計画を参照して、医用画像（ＭＲＩ画像）に対する後処理が必要となる検査項目（検査シリーズ）と、当該後処理の種類とを対応付けた後処理情報を取得する。図５は、第１の実施形態に係る取得部を説明するための図である。
【００５６】
例えば、取得部２７ａは、図４Ｂ〜図４Ｇに示す各検査シリーズの登録情報を参照して、図５に示すように、シリーズ番号「２０００、３０００、４０００、５０００、６０００」の５個の検査シリーズが後処理を必要とする検査シリーズと判断する。そして、取得部２７ａは、図５に示すように、これら検査シリーズで撮像に連動して実行される後処理それぞれの種類が「ＭＲＳ、ＰＷＩ、ＢＯＬＤ、ＤＴＴ、Ｃａｒｄｉａｃ」であるとする後処理情報を取得する。
【００５７】
そして、第１の実施形態に係る記憶部２６は、医用画像に対する後処理の種類ごとに、当該後処理を実行可能な機能を有する装置を対応付けた対応情報を記憶している。図６は、第１の実施形態に係る対応情報の一例を示す図である。なお、図６では、第１ワークステーション３０１を「ＷＳ１」で示し、第２ワークステーション３０２を「ＷＳ２」で示し、第３ワークステーション３０３を「ＷＳ３」で示し、コンソール２０を「Ｃｏｎ」で示している。
【００５８】
図６に示すように、記憶部２６は、「ＤＴＴ」に関する後処理の種類を実行可能な装置が、「ＷＳ１及びＷＳ３」であるとする対応情報を記憶する。また、図６に示すように、記憶部２６は、「ＭＲＳ」に関する後処理の種類を実行可能な装置が、「ＷＳ２」であるとする対応情報を記憶する。また、図６に示すように、記憶部２６は、「ＢＯＬＤ」に関する後処理の種類を実行可能な装置が、「ＷＳ１」であるとする対応情報を記憶する。また、図６に示すように、「Ｃａｒｄｉａｃ」に関する後処理の種類を実行可能な装置が、「ＷＳ１」であるとする対応情報を記憶する。また、図６に示すように、記憶部２６は、「ＰＷＩ」に関する後処理の種類を実行可能な装置が、「ＷＳ２及びＷＳ３」であるとする対応情報を記憶する。また、図６に示すように、記憶部２６は、「ＣＰＲ」に関する後処理の種類を実行可能な装置が、「Ｃｏｎ」であるとする対応情報を記憶する。
【００５９】
なお、図６に例示する対応情報は、医用画像診断システムの管理者により予め設定される。或いは、図６に例示する対応情報は、画像処理部２５や医用画像診断システムに設置されるワークステーション（画像処理装置）にインストールされている画像処理用のアプリケーションの情報を制御部２７が収集し設定しても良い。
【００６０】
そして、図３に示す決定部２７ｂは、対応情報を参照して、後処理情報に含まれる検査項目（検査シリーズ）で撮像された医用画像（ＭＲＩ画像）の後処理を依頼する装置を決定する。図７は、第１の実施形態に係る決定部を説明するための図である。
【００６１】
例えば、決定部２７ｂは、図７に示すように、図６に例示する対応情報を参照して、「シリーズ番号：２０００、シリーズ名：ＭＲＳ」の依頼先を「ＷＳ２」と決定する。また、例えば、決定部２７ｂは、図７に示すように、図６に例示する対応情報を参照して、「シリーズ番号：３０００、シリーズ名：ＰＷＩ」の依頼先を「ＷＳ２」と決定する。
【００６２】
また、例えば、決定部２７ｂは、図７に示すように、図６に例示する対応情報を参照して、「シリーズ番号：４０００、シリーズ名：ＢＯＬＤ」の依頼先を「ＷＳ１」と決定する。また、例えば、決定部２７ｂは、図７に示すように、図６に例示する対応情報を参照して、「シリーズ番号：５０００、シリーズ名：ＤＴＴ」の依頼先を「ＷＳ１」と決定する。また、例えば、決定部２７ｂは、図７に示すように、図６に例示する対応情報を参照して、「シリーズ番号：６０００、シリーズ名：Ｃａｒｄｉａｃ」の依頼先を「ＷＳ１」と決定する。
【００６３】
なお、決定部２７ｂは、図７に示すように、「シリーズ番号：１０００、シリーズ名：Ｔ２」については、後処理を必要としない検査シリーズであることから、依頼先を「無し」と決定する。
【００６４】
そして、決定部２７ｂは、後処理情報に含まれる検査シリーズで本撮像が完了すると、本撮像で再構成されたＭＲＩ画像データを、決定した依頼先に送信するように、通信部２８を制御する。これにより、例えば、通信部２８は、「シリーズ番号：５０００、シリーズ名：ＤＴＴ」で撮像されたＭＲＩ画像を、第１ワークステーション３０１に送信する。図８は、後処理により生成される画像データの一例を示す図である。
【００６５】
後処理の種類「ＤＴＴ」とともに拡散強調画像データを受信した第１ワークステーション３０１は、拡散強調画像データに対してテンソル解析を行なって、拡散テンソル画像データを生成する。そして、第１ワークステーション３０１は、図８に示すように、拡散テンソル画像データにおける最大拡散方向を追跡し、追跡した軌跡を神経束として描出したＤＴＴ画像データを生成する。
【００６６】
更に、第１の実施形態では、以下に説明する処理が行なわれる。まず、後処理を依頼された各装置は、依頼された後処理が完了すると、完了通知を通信部２８に通知する。なお、後処理を依頼された各装置は、後処理の結果（ＤＴＴ画像データや、ＥＦの値等）を、画像保管装置２００やＭＲＩ装置１００に送信する。
【００６７】
そして、図３に示す表示制御部２７ｃは、決定部２７ｂにより後処理が依頼された装置から、後処理の完了通知を受信した場合、当該装置が実行した後処理に対応する検査項目が完了した旨を表示部２３に表示させる。図９は、第１の実施形態に係る表示制御部により表示される画面の一例を示す図である。
【００６８】
図９に示す画面の一例では、シリーズ番号の左側の列に、本撮像が完了したか否かを示すマークを表示する列が設定される。また、図９に示す画面の一例では、本撮像完了マークの表示列の左側の列に、後処理が完了したか否かを示すマークを表示する列が設定される。また、図９に示す一例では、本撮像や後処理が未完了の検査シリーズを白抜きの四角で示し、本撮像や後処理が完了した検査シリーズを黒塗りの四角で示している。
【００６９】
操作者は、図９に例示する画面を参照することで、シリーズ番号「１０００〜６０００」の全てで本撮像が完了していることを把握できる。また、操作者は、図９に例示する画面を参照することで、シリーズ番号が「２０００、３０００、５０００」の検査項目では後処理が完了しており、シリーズ番号が「４０００、６０００」の検査項目では後処理が未完了であることを把握できる。操作者は、全てのシリーズ番号で後処理が完了したマークが表示された時点で、「患者ＩＤ：ＰＡＴＩＥＮＴ  １、検査ＩＤ：２」の検査が完了したと判断することができる。そして、操作者は、次の患者の検査に速やかに移行することができる。
【００７０】
続いて、図１０及び図１１を用いて、第１の実施形態に係るＭＲＩ装置１００の処理の流れについて説明する。図１０は、第１の実施形態に係るＭＲＩ装置が実行する後処理依頼処理の一例を説明するためのフローチャートであり、図１１は、第１の実施形態に係るＭＲＩ装置が実行する表示制御処理の一例を説明するためのフローチャートである。
【００７１】
図１０に例示するように、第１の実施形態に係る取得部２７ａは、入力部２２を介して、撮像計画が登録されたか否かを判定する（ステップＳ１０１）。ここで、撮像計画が登録されていない場合（ステップＳ１０１否定）、取得部２７ａは、撮像計画が登録されるまで待機する。
【００７２】
一方、撮像計画が登録された場合（ステップＳ１０１肯定）、取得部２７ａは、ＭＲＩ画像に対する後処理が必要となる検査シリーズと、当該後処理の種類とを対応付けた後処理情報を取得する（ステップＳ１０２）。そして、決定部２７ｂは、対応情報を参照して、後処理情報に含まれる検査シリーズで撮像されたＭＲＩ画像に対する後処理の依頼先を決定する（ステップＳ１０３）。
【００７３】
そして、決定部２７ｂは、後処理用のＭＲＩ画像データが記憶部２６に格納されたか否かを判定する（ステップＳ１０４）。ここで、後処理用のＭＲＩ画像データが格納されない場合（ステップＳ１０４否定）、決定部２７ｂは、ＭＲＩ画像データが格納されるまで待機する。
【００７４】
一方、後処理用のＭＲＩ画像データが格納された場合（ステップＳ１０４肯定）、決定部２７ｂの制御により、通信部２８は、格納されたＭＲＩ画像データの依頼先として決定した装置に後処理用のＭＲＩ画像データを転送する（ステップＳ１０５）。
【００７５】
そして、決定部２７ｂは、後処理情報に含まれる全項目（全検査シリーズ）の依頼が完了したか否かを判定する（ステップＳ１０６）。ここで、全項目の依頼が完了していない場合（ステップＳ１０６否定）、決定部２７ｂは、ステップＳ１０４に戻って、新たな後処理用のＭＲＩ画像データが格納されたか否かを判定する。
【００７６】
一方、全項目の依頼が完了した場合（ステップＳ１０６肯定）、決定部２７ｂは、後処理依頼処理を終了する。
【００７７】
そして、図１１に例示するように、第１の実施形態に係る表示制御部２７ｃは、依頼先の装置から後処理の完了通知を受信したか否かを判定する（ステップＳ２０１）。ここで、完了通知を受信しない場合（ステップＳ２０１否定）、表示制御部２７ｃは、完了通知を受信するまで待機する。
【００７８】
一方、完了通知を受信した場合（ステップＳ２０１肯定）、表示制御部２７ｃは、該当する検査項目（検査シリーズ）、すなわち、完了通知を送信した装置に依頼した後処理に対応する検査項目が完了した旨を表示部２３に表示させる（ステップＳ２０２）。
【００７９】
そして、表示制御部２７ｃは、後処理情報に含まれる全項目（全検査シリーズ）の完了通知を受信したか否かを判定する（ステップＳ２０３）。ここで、全項目の完了通知を受信していない場合（ステップＳ２０３否定）、表示制御部２７ｃは、ステップＳ２０１に戻って、新たな完了通知を受信したか否かを判定する。
【００８０】
一方、全項目の完了通知を受信した場合（ステップＳ２０３肯定）、表示制御部２７ｃは、表示制御処理を終了する。
【００８１】
上述したように、第１の実施形態では、ＭＲＩ装置１００は、医用画像診断システムに設置される各装置が実行可能な後処理の種類に関する情報を対応情報として保持する。そして、ＭＲＩ装置１００は、撮像計画が登録されると、スキャンに連動して後処理が行なわれる検査シリーズを自動的に抽出する。そして、ＭＲＩ装置１００は、対応情報を参照して、後処理の依頼先を決定する。これにより、第１の実施形態では、後処理が必要となる検査項目に関しては、当該後処理を確実に実行可能な装置に依頼することができる。その結果、第１の実施形態では、検査効率を向上させることが可能となる。
【００８２】
また、第１の実施形態では、ＭＲＩ装置１００は、依頼先の装置から後処理の完了通知を受信すると、完了通知を送信した装置に依頼した後処理に対応する検査項目が完了した旨を表示部２３に表示させる。これにより、第１の実施形態では、各後処理が完了したかを操作者が確実に把握することができる。その結果、操作者は、次の検査に速やかに移行することができ、検査効率を更に向上させることが可能となる。
【００８３】
（第２の実施形態）
第２の実施形態では、後処理を依頼した装置の処理負荷に応じて、後処理を依頼する装置を動的に変更する場合について、図１２等を用いて説明する。図１２は、第２の実施形態に係る制御部の構成例を示す図である。
【００８４】
図１２に例示するように、第２の実施形態に係る制御部２７は、図３に例示した第１の実施形態に係る制御部２７と比較して、収集部２７ｄを更に有する。
【００８５】
図１２に例示する収集部２７ｄは、対応情報に含まれる装置の処理負荷を収集する。そして、第２の実施形態に係る決定部２７ｂは、収集部２７ｄが収集した処理負荷に応じて、後処理を依頼する装置を変更する。
【００８６】
すなわち、収集部２７ｄは、図１に示す第１ワークステーション３０１、第２ワークステーション３０２及び第３ワークステーション３０３の処理負荷を収集する。具体的には、収集部２７ｄは、後処理を依頼した装置に後処理を依頼した時点からの経過時間に基づいて、各装置の処理負荷を判断する。
【００８７】
ここで、後処理を依頼した装置の処理負荷が高い場合、当該装置で後処理が完了するまでに要する時間は長くなる。すなわち、後処理を依頼した時点から「ある一定の時間」が経過しても、完了通知を受信しない場合、後処理を依頼した装置の処理負荷が高くなっていると判断することができる。
【００８８】
そこで、第２の実施形態に係る記憶部２６は、図１３に例示する対応情報を記憶する。図１３は、第２の実施形態に係る対応情報の一例を示す図である。
【００８９】
第２の実施形態に係る対応情報は、後処理の種類ごとに、当該後処理を実行可能な機能を有する装置と、処理時間の閾値とが対応付けられた情報となる。図１３に例示する対応情報では、後処理の種類「ＤＴＴ」に「ＷＳ１及びＷＳ３」と処理時間「ｔ１」とが対応付けられ、後処理の種類「ＭＲＳ」に「ＷＳ２」と処理時間「ｔ２」とが対応付けられ、後処理の種類「ＢＯＬＤ」に「ＷＳ１」と処理時間「ｔ３」とが対応付けられている。また、図１３に例示する対応情報では、後処理の種類「Ｃａｒｄｉａｃ」に「ＷＳ１」と処理時間「ｔ４」とが対応付けられ、後処理の種類「ＰＷＩ」に「ＷＳ２及びＷＳ３」と処理時間「ｔ５」とが対応付けられ、後処理の種類「ＣＰＲ」に「Ｃｏｎ」と処理時間「ｔ６」とが対応付けられている。
【００９０】
上記の処理時間は、後処理の種類ごとに設定される閾値であり、例えば、該当する後処理に要する平均的な時間が閾値として設定される。
【００９１】
図１３に例示する対応情報の処理時間を参照して、収集部２７ｄは、後処理を依頼した装置の処理負荷に関する情報を収集する。例えば、収集部２７ｄは、例えば、「ＤＴＴ」の後処理を依頼した第１ワークステーション３０１から、「ｔ１」経過しても完了通知を受信しない場合、第１ワークステーション３０１の処理負荷が高くなっている旨を決定部２７ｂに通知する。図１４は、第２の実施形態に係る決定部を説明するための図である。
【００９２】
かかる場合、決定部２７ｂは、図１３に例示する対応情報を参照して、図１４に例示するように、「ＤＴＴ」の後処理の依頼先を第１ワークステーション３０１（ＷＳ１）から第３ワークステーション３０３（ＷＳ３）に変更すると決定する。そして、決定部２７ｂは、「ＤＴＴ」の後処理用のＭＲＩ画像データを第３ワークステーション３０３に送信するように、通信部２８を制御する。
【００９３】
続いて、図１５を用いて、第２の実施形態に係るＭＲＩ装置１００の処理の流れについて説明する。図１５は、第２の実施形態に係るＭＲＩ装置が実行する後処理依頼先の変更処理の一例を説明するためのフローチャートである。
【００９４】
図１５に例示するように、第２の実施形態に係る制御部２７が有する収集部２７ｄは、依頼した後処理に対応する処理時間が経過しても、完了通知を送信していない装置が有るか否かを判定する（ステップＳ３０１）。
【００９５】
ここで、完了通知を送信していない装置が有る場合（ステップＳ３０１肯定）、収集部２７ｄの通知により、決定部２７ｂは、当該装置に依頼した後処理の依頼先を変更する（ステップＳ３０２）。そして、決定部２７ｂの制御により、通信部２８は、変更後の装置に後処理用のＭＲＩ画像を転送する（ステップＳ３０３）。
【００９６】
一方、完了通知を送信していない装置が無い場合（ステップＳ３０１否定）、或いは、ステップＳ３０３の処理を行なった後、表示制御部２７ｃは、後処理情報に含まれる全項目の完了通知を受信したか否かを判定する（ステップＳ３０４）。ここで、全項目の完了通知を受信していない場合（ステップＳ３０４否定）、収集部２７ｄは、ステップＳ３０１に戻って、依頼した後処理に対応する処理時間が経過しても、完了通知を送信していない装置が有るか否かを判定する。
【００９７】
一方、全項目の完了通知を受信した場合（ステップＳ３０４肯定）、収集部２７ｄ及び決定部２７ｂは、後処理依頼先の変更処理を終了する。
【００９８】
なお、上記では、収集部２７ｄが後処理を依頼してからの経過時間に基づいて、装置の処理負荷を判断する場合について説明したが、本実施形態は、例えば、収集部２７ｄが後処理を依頼した装置のＣＰＵ使用率を収集して、処理負荷を判断する場合であっても良い。また、上記では、後処理の依頼後に依頼先を変更する場合について説明したが、本実施形態は、例えば、最初に各装置のＣＰＵ使用率を収集し、ＣＰＵ使用率が所定値以下の装置に限定して、依頼先を決定する場合であっても良い。
【００９９】
上述したように、第２の実施形態では、ＭＲＩ装置１００は、医用画像診断システムに設置される各装置の負荷に応じて、後処理を依頼する装置を動的に変更する。これにより、第２の実施形態では、検査に要する時間が増大することを回避でき、その結果、検査効率を確実に向上させることが可能となる。
【０１００】
なお、図１の説明において記載したように、第１の実施形態及び第２の実施形態は、医用画像診断システムにおいて、複数台の医用画像診断装置が設置される場合であっても良い。図１６は、第１の実施形態及び第２の実施形態の変形例を説明するための図である。
【０１０１】
例えば、図１６に示す変形例では、ＭＲＩ装置１００とともに、ＭＲＩ装置１０１及びＸ線ＣＴ装置１０２が医用画像診断システムに設置される。ＭＲＩ装置１０１及びＸ線ＸＴ装置１０２には、第１の実施形態や第２の実施形態で説明した制御部２７と同様の機能を有する制御部が設置される。そして、例えば、ＭＲＩ装置１００、ＭＲＩ装置１０１及びＸ線ＣＴ装置１０２それぞれは、上述した対応情報を保持し、自装置に登録された撮像計画から、スキャンに連動して後処理が行なわれる検査シリーズを抽出し、対応情報を参照して、後処理の依頼先を決定する。
【０１０２】
また、例えば、ＭＲＩ装置１００、ＭＲＩ装置１０１及びＸ線ＣＴ装置１０２それぞれは、依頼先の装置から後処理の完了通知を受信して、当該後処理に対応する検査項目が完了した旨を表示させる。また、例えば、ＭＲＩ装置１００、ＭＲＩ装置１０１及びＸ線ＣＴ装置１０２それぞれは、医用画像診断システムに設置される各装置の負荷に応じて、後処理を依頼する装置を動的に変更する。
【０１０３】
また、第１の実施形態及び第２の実施形態で説明した画像処理管理方法は、医用画像診断システムに設置される医用画像診断装置にて実行される場合に限定されるものではない。例えば、第１の実施形態及び第２の実施形態で説明した画像処理管理方法は、画像保管装置２００や第１ワークステーション３０１、或いは、画像処理管理方法を実行する画像処理管理装置として設置された装置により実行される場合であっても良い。
【０１０４】
これらの装置は、医用画像診断システム内の各医用画像診断装置から撮像計画を取得して、第１の実施形態及び第２の実施形態で説明した画像処理管理方法を実行することができる。また、画像処理管理方法を実行する装置が有する機能やその分担は、運用の形態に応じて、医用画像診断システム内で適宜変更されて良い。
【０１０５】
以上、説明したとおり、第１の実施形態、第２の実施形態及び変形例によれば、検査効率を向上させることができる。
【０１０６】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１０７】
２２  入力部
２３  表示部
２７  制御部
２７ａ  取得部
２７ｂ  決定部
２７ｃ  表示制御部
２８  通信部
【図１】
2014076137.tif 000003
【図２】
2014076137.tif 000004
【図３】
2014076137.tif 000005
【図４Ａ】
2014076137.tif 000006
【図４Ｂ】
2014076137.tif 000007
【図４Ｃ】
2014076137.tif 000008
【図４Ｄ】
2014076137.tif 000009
【図４Ｅ】
2014076137.tif 000010
【図４Ｆ】
2014076137.tif 000011
【図４Ｇ】
2014076137.tif 000012
【図５】
2014076137.tif 000013
【図６】
2014076137.tif 000014
【図７】
2014076137.tif 000015
【図８】
2014076137.tif 000016
【図９】
2014076137.tif 000017
【図１０】
2014076137.tif 000018
【図１１】
2014076137.tif 000019
【図１２】
2014076137.tif 000020
【図１３】
2014076137.tif 000021
【図１４】
2014076137.tif 000022
【図１５】
2014076137.tif 000023
【図１６】
2014076137.tif 000024